(57)【要約】【課題】帯状配線体の熱変形による配線ショートを低コストで防止できる帯状配線体の支持構造を提供する。【解決手段】回路基板２上に仕切り板３が立設されていて、この仕切り板３には、帯状配線体７の下方側に位置する側縁部分が差し込まれる切れ込み３ｂが形成されている。【選択図】図１
2007234149.tif 000002
【特許請求の範囲】
【請求項１】
電子機器における底板シャーシ上の回路基板に接続される柔軟な帯状配線体の支持構造であって、
前記電子機器は、ＤＶＤ駆動部とビデオカセットテープ駆動部とを左右に隣接して搭載して成り、
前記ＤＶＤ駆動部と前記ビデオカセットテープ駆動部との間を仕切るように前記回路基板上に仕切り板が立設され、
前記帯状配線体が前記ＤＶＤ駆動部より伸び出すフレキシブルフラットケーブルであり、
前記仕切り板は、水平に折れ曲がるように形成された折曲片が、前記底板シャーシに固定の支柱に対し前記ＤＶＤ駆動部のフレームと共にビス止めされて取り付けられている帯状配線体の支持構造において、
前記仕切り板には、前記折曲片の近傍に、前記帯状配線体の下方側に位置する側縁部分が差し込まれる切れ込みが形成され、前記帯状配線体の上方側に位置する側縁と上方から対向する突片が形成されていることを特徴とする帯状配線体の支持構造。
【請求項２】
電子機器における底板シャーシ上の回路基板に接続される柔軟な帯状配線体の支持構造であって、
前記回路基板上に仕切り板が立設されていて、
この仕切り板には、前記帯状配線体の下方側に位置する側縁部分が差し込まれる切れ込みが形成されていることを特徴とする帯状配線体の支持構造。
【請求項３】
前記仕切り板には、前記帯状配線体の上方側に位置する側縁と上方から対向する突片が形成されていることを特徴とする請求項２に記載の帯状配線体の支持構造。
【請求項４】
前記電子機器は、ＤＶＤ駆動部とビデオカセットテープ駆動部とを左右に隣接して搭載して成り、
前記ＤＶＤ駆動部と前記ビデオカセットテープ駆動部との間を仕切るように前記仕切り板が立設され、
前記帯状配線体が前記ＤＶＤ駆動部より伸び出していることを特徴とする請求項２又は３に記載の帯状配線体の支持構造。
【請求項５】
前記仕切り板は、水平に折れ曲がるように形成された折曲片が、前記底板シャーシに固定の支柱に対し前記ＤＶＤ駆動部のフレームと共にビス止めされて取り付けられていて、
前記切れ込みが前記折曲片の近傍に形成されていることを特徴とする請求項４に記載の帯状配線体の支持構造。
【請求項６】
前記帯状配線体が、フレキシブルフラットケーブル又はフレキシブルプリント基板であることを特徴とする請求項２から５のいずれかに記載の帯状配線体の支持構造。
【発明の詳細な説明】
【技術分野】
【０００１】
本発明は、ＨＤＤ（Hard Disk Drive）レコーダ、ＤＶＤ（Digital Versatile Disk）レコーダ、ビデオカセットテープ（ＶＣ）レコーダ、その他これらの複合機といったような種々の電子機器について、その電子機器における底板シャーシ上の回路基板に接続される柔軟な帯状配線体の支持構造に関する。
【背景技術】
【０００２】
一般に、電子機器の外枠の構成要素である板金等で成形された底板シャーシ上には、ビス止め等によって回路基板が取り付けられている。この回路基板には、フレキシブルフラットケーブル（以下、「ＦＦＣ」と記すことがある）やフレキシブルプリント基板（以下、「ＦＰＣ」と記すことがある）等の柔軟な帯状配線体が接続される。
【０００３】
ここで、従来の帯状配線体の支持構造について、図４〜図６を参照しながら説明する。なおここでは、電子機器として、ハードディスクに対して記録・再生を行うハードディスク駆動部（以下、「ＨＤ駆動部」と記すことがある）と、ＤＶＤに対して記録・再生を行うＤＶＤ駆動部と、ビデオカセットテープに対して記録・再生を行うビデオカセットテープ駆動部（以下、「ＶＣ駆動部」と記すことがある）と、を一体に搭載した複合機を例に挙げる。
【０００４】
この電子機器では、記録媒体であるＤＶＤ、ビデオカセットテープをそれぞれ前面から出し入れ可能にするために、ＤＶＤ駆動部とＶＣ駆動部とが前寄りで左右に隣接して搭載されている。ＤＶＤ駆動部の後方には、ＨＤ駆動部が搭載されている。この電子機器の底板シャーシ１上には回路基板２が取り付けられ、この回路基板２の上方に、ＤＶＤ駆動部、ＶＣ駆動部、ＨＤ駆動部が配置されている。なお、図４では、ＤＶＤ駆動部が紙面の奥側に、ＶＣ駆動部が紙面の手前側にそれぞれ配置され、図５では、ＤＶＤ駆動部が上側に、ＶＣ駆動部が下側にそれぞれ配置され、図６では、ＤＶＤ駆動部が左側に、ＶＣ駆動部が右側にそれぞれ配置されている様子を示している。
【０００５】
回路基板２上には、左右に隣接するＤＶＤ駆動部とＶＣ駆動部との間を前後方向に沿って仕切るように、仕切り板３が立設されている。この仕切り板３の後端部（図４、図５では左側の端部、図６では紙面の手前側の端部）には、ＤＶＤ駆動部側に水平に折れ曲がる折曲片３ａが形成されている。仕切り板３は、その折曲片３ａが、底板シャーシ１にビス止め等で固定された支柱４上に、ＤＶＤ駆動部のフレーム５を介在して載せられ、支柱４に対しフレーム５と共にビス６によってビス止めされて取り付けられている。
【０００６】
そして、例えばＤＶＤ駆動部からは、その構成要素であるＤＶＤ駆動用回路基板より帯状配線体７が伸び出している。ここでの帯状配線体７としては、ＦＦＣが採用される。この帯状配線体７は、仕切り板３（折曲片３ａを含む）と、回路基板２と、支柱４と、ＤＶＤ駆動部のフレーム５とで形成される隙間に挿通された後、仕切り板３の後端を回り込み、ＶＣ駆動部の後方で回路基板２上のコネクタに接続される。その際、帯状配線体７は、その幅が広いため、その上方側に位置する側縁が仕切り板３の折曲片３ａに接触しつつ、その下方側に位置する側縁が回路基板２に接触した状態で、斜めになって挿通された格好になる。こうして帯状配線体７が支持される。
【０００７】
なお、従来の帯状配線体の支持構造の別例としては、例えば特許文献１に開示されているように、２枚のＦＰＣのうちで一方のＦＰＣに貫通穴を形成し、その貫通穴に他方のＦＰＣを挿通して、互いを交差させた状態で支持するものが提案されている。また、他の別例として、例えば特許文献２に開示されているように、帯状配線体を長手方向の途中で折り曲げ、その部分の両側縁を、ベース部材に設けた一対の爪に引掛けることで帯状配線体を支持するものが提案されている。
【特許文献１】特開平６−１１２５９８号公報
【特許文献２】特開平１０−２５６７５９号公報
【発明の開示】
【発明が解決しようとする課題】
【０００８】
しかし、上記した従来の帯状配線体の支持構造では、帯状配線体７の下方側に位置する側縁が回路基板２に接触した状態に置かれるため、その接触部分の近隣の回路基板２にダイオードや抵抗等の発熱する電子部品が存在した場合、帯状配線体７が熱変形して配線の短絡（ショート）が生じるおそれが多分にある。
【０００９】
このような問題の予防策として、従来は、回路基板２の発熱電子部品を避けて遠回りしながら、帯状配線体７を回路基板２の非発熱電子部品に引掛けたり、帯状配線体７における回路基板２に接触すると想定される部分に断熱布を巻きつけたりしていた。しかし、前者の予防策の場合は、遠回りする分帯状配線体７が長くなることから、帯状配線体７のコストが悪化するし、回路基板２の非発熱電子部品に引掛けられた帯状配線体７が振動等で外れ、結果的に熱変形による配線ショートに至ってしまうという不都合がある。後者の予防策の場合は、断熱布の巻きつけが煩わしいし、断熱布の分コストが悪化するという不都合がある。
【００１０】
なお、上記した従来の帯状配線体の支持構造の別例では、ＦＰＣに汎用品には無い特殊な貫通穴を形成する必要があることから、そのＦＰＣのコストが著しく悪化する。また、上記した従来の帯状配線体の支持構造の他の別例では、帯状配線体を長手方向の途中で折り曲げる必要があることから、その分帯状配線体が長くなり、やはり帯状配線体のコストが悪化する。
【００１１】
そこで本発明は、上記の問題に鑑みてなされたものであり、帯状配線体の熱変形による配線ショートを低コストで防止できる帯状配線体の支持構造を提供することを目的とするものである。
【課題を解決するための手段】
【００１２】
上記目的を達成するため、本発明による帯状配線体の支持構造は、電子機器における底板シャーシ上の回路基板に接続される柔軟な帯状配線体の支持構造であって、前記電子機器は、ＤＶＤ駆動部とビデオカセットテープ駆動部とを左右に隣接して搭載して成り、前記ＤＶＤ駆動部と前記ビデオカセットテープ駆動部との間を仕切るように前記回路基板上に仕切り板が立設され、前記帯状配線体が前記ＤＶＤ駆動部より伸び出すフレキシブルフラットケーブルであり、前記仕切り板は、水平に折れ曲がるように形成された折曲片が、前記底板シャーシに固定の支柱に対し前記ＤＶＤ駆動部のフレームと共にビス止めされて取り付けられている帯状配線体の支持構造において、次の点を特徴とする。前記仕切り板には、前記折曲片の近傍に、前記帯状配線体の下方側に位置する側縁部分が差し込まれる切れ込みが形成され、前記帯状配線体の上方側に位置する側縁と上方から対向する突片が形成されている。
【００１３】
これにより、帯状配線体は、回路基板の上空で仕切り板の切れ込みによって支持されるため、回路基板に接触する状況がなくなり、その結果として、回路基板の発熱電子部品に起因した帯状配線体の熱変形による配線ショートを防止できる。もっともこれは、仕切り板に切れ込みを施すことで実現できるため、低コストで行える。
【００１４】
また、上記目的を達成するための本発明による帯状配線体の支持構造は、電子機器における底板シャーシ上の回路基板に接続される柔軟な帯状配線体の支持構造であって、前記回路基板上に仕切り板が立設されていて、この仕切り板には、前記帯状配線体の下方側に位置する側縁部分が差し込まれる切れ込みが形成されている。
【００１５】
これにより、帯状配線体は、回路基板の上空で仕切り板の切れ込みによって支持されるため、回路基板に接触する状況がなくなり、その結果として、回路基板の発熱電子部品に起因した帯状配線体の熱変形による配線ショートを防止できる。もっともこれは、仕切り板に切れ込みを施すことで実現できるため、低コストで行える。
【００１６】
ここで、振動等による帯状配線体の不用意な脱落を防止する観点から、前記仕切り板には、前記帯状配線体の上方側に位置する側縁と上方から対向する突片が形成されているとよい。
【００１７】
また、実用的には、前記電子機器は、ＤＶＤ駆動部とビデオカセットテープ駆動部とを左右に隣接して搭載して成り、前記ＤＶＤ駆動部と前記ビデオカセットテープ駆動部との間を仕切るように前記仕切り板が立設され、前記帯状配線体が前記ＤＶＤ駆動部より伸び出していることが好ましい。
【００１８】
この場合、前記仕切り板は、水平に折れ曲がるように形成された折曲片が、前記底板シャーシに固定の支柱に対し前記ＤＶＤ駆動部のフレームと共にビス止めされて取り付けられていて、前記切れ込みが前記折曲片の近傍に形成されていることが好ましい。
【００１９】
また、前記帯状配線体が、フレキシブルフラットケーブル又はフレキシブルプリント基板であるとよい。
【発明の効果】
【００２０】
本発明の帯状配線体の支持構造によれば、帯状配線体の熱変形による配線ショートを低コストで防止できる。
【発明を実施するための最良の形態】
【００２１】
以下に、本発明の一実施形態について図面を参照しながら詳述する。図１は本発明の一実施形態である帯状配線体の支持構造を示す側面図、図２は図１を上方から見た図、図３は図１を左方から見た図である。なお、これらの図中で図４〜図６と同じ名称で同じ機能を果たす部分には同一の符号を付し、重複する説明は適宜省略する。
【００２２】
本実施形態では、帯状配線体の支持構造が適用される電子機器として、ＨＤ駆動部とＤＶＤ駆動部とＶＣ駆動部とを一体に搭載した複合機を例に挙げる。この電子機器では、底板シャーシ１上に回路基板２が取り付けられ、この回路基板２の上方には、ＤＶＤ駆動部とＶＣ駆動部とが前寄りで左右に隣接して配置されるとともに、ＤＶＤ駆動部の後方にＨＤ駆動部が配置されている。なお、図１では、ＤＶＤ駆動部が紙面の奥側に、ＶＣ駆動部が紙面の手前側にそれぞれ配置され、図２では、ＤＶＤ駆動部が上側に、ＶＣ駆動部が下側にそれぞれ配置され、図３では、ＤＶＤ駆動部が左側に、ＶＣ駆動部が右側にそれぞれ配置されている様子を示している。
【００２３】
回路基板２上には、左右に隣接するＤＶＤ駆動部とＶＣ駆動部との間を前後方向に沿って仕切るように、仕切り板３が立設されている。この仕切り板３は、その後端部（図１、図２では左側の端部、図３では紙面の手前側の端部）に形成された折曲片３ａが、底板シャーシ１に固定の支柱４に対しＤＶＤ駆動部のフレーム５と共にビス６によってビス止めされて取り付けられている。
【００２４】
ここで本実施形態では、仕切り板３における折曲片３ａの前方側（図１、図２では右側、図３では紙面の奥側）での近傍に、折曲片３ａの根もとにから下方に切れ込む切れ込み３ｂが形成されている。更に、その切れ込み３ｂの上方への延長線上には、後方（図１、図２では左方、図３では紙面の手前側）へ突出する突片３ｃが形成されている。ここでの仕切り板３としては、絶縁性のある樹脂板（例えばポリカーボネイト板）が好適であり、折曲片３ａを含めた切れ込み３ｂや突片３ｃの形成は安価に行える。
【００２５】
そして、例えばＤＶＤ駆動部からは、その構成要素であるＤＶＤ駆動用回路基板より帯状配線体７が伸び出している。ここでの帯状配線体７としては、ＦＦＣが採用される。この帯状配線体７は、その下方側に位置する側縁が仕切り板３の切れ込み３ｂに差し込まれて、仕切り板３をＤＶＤ駆動部側からＶＣ駆動部側へ交差し、ＶＣ駆動部の後方で回路基板２上のコネクタに接続される。その際、帯状配線体７は、その下方側に位置する側縁が仕切り板３の切れ込み３ｂに保持されつつ、その上方側に位置する側縁に仕切り板３の突片３ｃが上方から対向した格好になる。こうして帯状配線体７は、回路基板２の上空で切れ込み３ｂによって支持される。更に、突片３ｃによって振動等による不用意な脱落を防止される。
【００２６】
従って、帯状配線体７は、回路基板２に接触する状況がなくなり、その結果として、回路基板２の発熱電子部品に起因した帯状配線体７の熱変形による配線ショートを防止できる。もっともこれは、仕切り板３に切れ込み３ｂを施すことで実現できるため、低コストで行える。しかも、帯状配線体７は、仕切り板３の後端を回り込まずに、仕切り板３を交差するため、従来の帯状配線体の支持構造と比較して、帯状配線体７を短くすることが可能になり、帯状配線体７のコスト低減が期待できる。
【００２７】
その他本発明は上記の実施形態に限定されず、本発明の趣旨を逸脱しない範囲で、種々の変更が可能である。例えば、仕切り板３に形成する切れ込み３ｂは、上記の実施形態の場合、折曲片３ａの前方側であれば、その形成位置に限定はない。また、電気機器としては、ＨＤ駆動部とＤＶＤ駆動部とＶＣ駆動部との３者を一体に搭載した複合機に限らず、いずれか２者を一体に搭載した複合機や、単体のＨＤＤレコーダ、ＤＶＤレコーダ、ＶＣレコーダであっても構わない。
【００２８】
また、帯状配線体７としては、ＦＣＣに限らず、所定の幅を有する柔軟なもの例えばＦＰＣ等であっても構わない。また、帯状配線体７の接続元は、ＤＶＤ駆動部に限るわけではない。
【産業上の利用可能性】
【００２９】
本発明は、ＨＤＤレコーダ、ＤＶＤレコーダ、ＶＣレコーダ、その他これらの複合機といったような種々の電子機器に有用である。
【図面の簡単な説明】
【００３０】
【図１】本発明の一実施形態である帯状配線体の支持構造を示す側面図である。
【図２】図１を上方から見た図である。
【図３】図１を左方から見た図である。
【図４】従来の帯状配線体の支持構造を示す側面図である。
【図５】図４を上方から見た図である。
【図６】図４を左方から見た図である。
【符号の説明】
【００３１】
１    底板シャーシ
２    回路基板
３    仕切り板
３ａ    折曲片
３ｂ    切れ込み
３ｃ    突片
４    支柱
５    フレーム
６    ビス
７    帯状配線体
【図１】
2007234149.tif 000003
【図２】
2007234149.tif 000004
【図３】
2007234149.tif 000005
【図４】
2007234149.tif 000006
【図５】
2007234149.tif 000007
【図６】
2007234149.tif 000008